Podtech/llm-jp-corpus-v4-ja_patent huggingface dataset:
【手続補正書】
【提出日】平成22年9月15日(2010.9.15)
【手続補正１】
【補正対象書類名】特許請求の範囲
【補正対象項目名】全文
【補正方法】変更
【補正の内容】
【特許請求の範囲】
【請求項１】
【化１】
2010505997.tif 000001
（式中、Ｍは一価カチオンである）
を含む式の繰り返し単位を含むスルホン化ポリオキサジアゾールポリマー。
【請求項２】
請求項１に記載のポリマーが繊維として存在し、該繊維が染色性であることを特徴とする、繊維。
【手続補正２】
【補正対象書類名】明細書
【補正対象項目名】００２８
【補正方法】変更
【補正の内容】
【００２８】
比較例
５−スルホイソフタル酸モノリチウム塩４．９０９部を加えないが、イソフタル酸２．９１１部に置き換えたことを除いて実施例１におけるようにポリオキサジアゾールポリマーを調製した。得られたポリマーは、同じ染色手順を用いて全く染色されなかった。
次に、本発明の態様を示す。
1.
2010505997.tif 000002
（式中、Ｍは一価カチオンである）
を含む式の繰り返し単位を含むスルホン化ポリオキサジアゾールポリマー。
2.
2010505997.tif 000003
の繰り返し単位をさらに含む、上記１に記載のポリマー。
3.
2010505997.tif 000004
の少なくとも２つの繰り返し単位を含む、上記２に記載のポリマー。
4.
2010505997.tif 000005
を含む、上記３に記載のポリマー。
5.  ０．５＜ｐ＜４０、５＜ｍ＜９５、５＜ｎ＜８０である、上記４に記載のポリマー。
6.  前記カチオンが、リチウム、ナトリウム、アンモニウム、またはカリウムから選択される、上記１に記載のポリマー。
7.  前記カチオンがリチウムまたはナトリウムである、上記６に記載のポリマー。
8.  前記カチオンがリチウムである、上記７に記載のポリマー。
9.  前記スルホン化ポリオキサジアゾールポリマーがコポリマーである、上記１に記載のポリマー。
10.  前記ポリオキサジアゾールコポリマーが、
2010505997.tif 000006
から選択される少なくとも２つの芳香族環系を含む、上記９に記載のポリマー。
11.  繊維として存在する、上記１に記載のポリマー。
12.  前記繊維が染色性である、上記１１に記載の繊維。
13.  Ｋ／Ｓ値が少なくとも約６である、上記１２に記載の繊維。
14.  Ｋ／Ｓ値が少なくとも約１０である、上記１２に記載の繊維。
15.  Ｋ／Ｓ値が少なくとも約１２である、上記１３に記載の繊維。
16.  前記繊維が染色される、上記１１に記載の繊維。
【手続補正書】
【提出日】平成22年10月12日(2010.10.12)
【手続補正１】
【補正対象書類名】特許請求の範囲
【補正対象項目名】全文
【補正方法】変更
【補正の内容】
【特許請求の範囲】
【請求項１】
エチル３−［（２−｛［４−（ヘキシルオキシカルボニルアミノ−イミノ−メチル）−フェニルアミノ］−メチル｝−１−メチル−１Ｈ−ベンゾイミダゾール−５−カルボニル）−ピリジン−２−イル−アミノ］−プロピオナートの下記から選択される塩、またはそれらの水和物：
ａ）２，５−ジヒドロキシベンゾアート，
ｂ）ベシラート，
ｃ）塩酸塩の形態ＩＩ、Ｖ、およびＶＩ，
ｄ）シクラマート，
ｅ）エジシラート，
ｆ）エシラート，
ｇ）フマラート，
ｈ）Ｄ−グルクロナート，
ｉ）グリコラート，
ｊ）イセチオナート，
ｋ）Ｌ−マラート，
ｌ）Ｄ−マラート，
ｍ）マンデラート，
ｎ）ナフタレン−１，５−ジスルホナート，
ｏ）ナフタレン−２−スルホナート，
ｐ）オキサラート，
ｑ）ホスファート，
ｒ）プロピオナート，
ｓ）サッカリナート，
ｔ）サリチラートの形態ＩＩおよびＩＩＩ，
ｕ）スクシナート，
ｖ）Ｄ−タルトラート，および
ｗ）トシラート。
【請求項２】
請求項１に記載のエチル３−［（２−｛［４−（ヘキシルオキシカルボニルアミノ−イミノ−メチル）−フェニルアミノ］−メチル｝−１−メチル−１Ｈ−ベンゾイミダゾール−５−カルボニル）−ピリジン−２−イル−アミノ］−プロピオナートの下記から選択される結晶状態の塩、またはそれらの水和物：
ａ）２，５−ジヒドロキシベンゾアートの形態ＩＩ，
ｂ）ベシラートの形態ＩおよびＩＩ，
ｃ）塩酸塩の形態ＩＩ、Ｖ、およびＶＩ，
ｄ）シクラマートの形態Ｉ，
ｅ）エジシラートの形態ＩおよびＩＶ，
ｆ）エシラートの形態Ｉ，
ｈ）Ｄ−グルクロナートの形態Ｉ，
ｉ）グリコラートの形態ＩＩおよびＩＩＩ，
ｊ）イセチオナートの形態ＩＩＩ，
ｋ）Ｌ−マラートの形態Ｉ，
ｌ）Ｄ−マラートの形態Ｉ，
ｍ）マンデラートの形態Ｉ，
ｎ）ナフタレン−１，５−ジスルホナートの形態Ｉ，
ｏ）ナフタレン−２−スルホナートの形態Ｉ，
ｐ）オキサラートの形態ＩおよびＶ，
ｑ）ホスファートの形態ＩおよびＩＩ，
ｓ）サッカリナートの形態ＩおよびＩＩ，
ｔ）サリチラートの形態ＩＩ
ｕ）スクシナートの形態Ｉ，
ｖ）Ｄ−タルトラートの形態Ｉおよび
ｗ）トシラートの形態Ｉ，Ｖ，ＶＩおよびＶＩＩ。
【請求項３】
請求項２に記載のエチル３−［（２−｛［４−（ヘキシルオキシカルボニルアミノ−イミノ−メチル）−フェニルアミノ］−メチル｝−１−メチル−１Ｈ−ベンゾイミダゾール−５−カルボニル）−ピリジン−２−イル−アミノ］−プロピオナートの下記から選択される結晶状態の塩、またはそれらの水和物：
ａ）２，５−ジヒドロキシベンゾアートの形態ＩＩ，
ｂ）ベシラートの形態ＩおよびＩＩ，
ｆ）エシラートの形態Ｉ，
ｈ）Ｄ−グルクロナートの形態Ｉ，
ｋ）Ｌ−マラートの形態Ｉ，
ｌ）Ｄ−マラートの形態Ｉ，
ｓ）サッカリナートの形態ＩおよびＩＩ，
ｔ）サリチラートの形態ＩＩ
ｕ）スクシナートの形態Ｉ，
ｗ）トシラートの形態ＶＩおよびＶＩＩ。
【請求項４】
トロンビン時間延長活性を有する医薬を調製するための請求項１〜３のいずれかひとつに記載された化合物の使用。
【請求項５】
静脈血栓症および脳卒中を予防する医薬を調製するための請求項１〜３のいずれかひとつに記載された化合物の使用。
【請求項６】
請求項１〜３のいずれかひとつに記載された塩を含む医薬組成物であって、１以上の不活キャリアおよび／または希釈剤を一緒にふくんでもよい医薬組成物。
【手続補正書】
【提出日】平成22年10月8日(2010.10.8)
【手続補正１】
【補正対象書類名】明細書
【補正対象項目名】００５２
【補正方法】変更
【補正の内容】
【００５２】
３０℃で１、２及び４週間保存後の残存酵素活性％で決定される酵素の安定性を表２〜５に示す。
保存条件：閉鎖ガラス瓶において、３０℃で１、２及び４週間
【表７】
2010505988.tif 000001
【表８】
2010505988.tif 000002
【表９】
2010505988.tif 000003
【表１０】
2010505988.tif 000004
【手続補正２】
【補正対象書類名】特許請求の範囲
【補正対象項目名】全文
【補正方法】変更
【補正の内容】
【特許請求の範囲】
【請求項１】
洗剤組成物であって、サブチリシンＫＬ（subtilisin KL）又はその変異体と、少なくとも１のプロテアーゼ；リパーゼ；クチナーゼ；アミラーゼ；カルボヒドラーゼ；セルラーゼ；ペクチナーゼ；ペクチン酸リアーゼ；ヘミセルラーゼ（例えばマンナナーゼ、アラビナーゼ、ガラクタナーゼ、キシラナーゼ）；オキシダーゼ（例えばラッカーゼ）、又はペルオキシダーゼとの組み合わせを含んでなる組成物。
【請求項２】
リパーゼが、フミコラ（Humicola）（サーモマイシス（Thermomyces））由来（例えばＨ.ラヌギノサ（H. lanuginosa）（Ｔ.ラヌギノサス（T. lanuginosus））由来又はＨ.インソレンス（H. insolens）由来）のリパーゼ、シュードモナス（Pseudomonas）リパーゼ（例えばＰ.アルカリゲネス（P. alcaligenes）又はＰ.シュードアルカリゲネス（P. pseudoalcaligenes）、Ｐ.セパシア（P. cepacia）、Ｐ.スツッツェリ（P. stutzeri）、Ｐ.フルオレセンス（P. fluorescens）、シュードモナス種ＳＤ705株、Ｐ.ウィスコンシネンシス（P. wisconsinensis）由来）、バチルス（Bacillus）リパーゼ（例えばＢ.サブチリス（B. subtilis）、Ｂ.ステアロサーモフィルス（B. stearothermophilus）又はＢ.プミルス（B. pumilus）由来）及びこれらの化学的変異体又はタンパク質設計された変異体からなる群から選択される、請求項１記載の洗剤組成物。
【請求項３】
前記サブチリシンＫＬ又はその変異体が、少なくとも１のカルボヒドラーゼ；ペクチダーゼ；ペクチン酸リアーゼ、又はヘミセルラーゼ（例えばマンナナーゼ、アラビナーゼ、ガラクタナーゼ、キシラナーゼ）と組み合わされる、請求項１又は２記載の洗剤組成物。
【請求項４】
前記アミラーゼが、バチルス（Bacillus）（例えばＢ.リケニフォルミス（B. licheniformis））由来のアミラーゼを含んでなる群から選択される、請求項１又は２記載の洗剤組成物。
【請求項５】
前記セルラーゼが、バチルス（Bacillus）属、シュードモナス（Pseudomonas）属、マイセリオフソラ（Myceliophthora）属、フミコラ（Humicola）属、フザリウム（Fusarium）属、チエラビア（Thielavia）属、アクレモニウム（Acremonium）属由来（例えばフミコラインソレンス（Humicola insolens）、マイセリオフソラサーモフィラ（Myceliophthora thermophila）及びフザリウムオキシスポラム（Fusarium oxysporum）由来）のセルラーゼを含んでなる群から選択される、請求項１又は２記載の洗剤組成物。
【請求項６】
リパーゼ、クチナーゼ、アミラーゼ、カルボヒドラーゼ、セルラーゼ、ペクチナーゼ、ペクチン酸リアーゼ、ヘミセルラーゼ（例えばマンナナーゼ、アラビナーゼ、ガラクタナーゼ、キシラナーゼ）、オキシダーゼ（例えばラッカーゼ）、又はペルオキシダーゼ含有量に対する、サブチリシンＫＬ又はその変異体の含有量の重量比が、0.001から100、好ましくは0.01から10、特に0.5から５、特に１から３である、請求項１から５のいずれか１項記載の洗剤組成物。
【請求項７】
サブチリシンＫＬ又はその変異体の含有量が0.001から５重量％であり、リパーゼ、クチナーゼ、アミラーゼ、カルボヒドラーゼ、セルラーゼ、ペクチナーゼ、ペクチン酸リアーゼ、ヘミセルラーゼ（例えばマンナナーゼ、アラビナーゼ、ガラクタナーゼ、キシラナーゼ）、オキシダーゼ（例えばラッカーゼ）、又はペルオキシダーゼが存在する場合は、各含有量が0.001から５重量％である、請求項１から５のいずれか１項記載の洗剤組成物。
【請求項８】
サブチリシンＫＬ又はその変異体と、少なくとも１のプロテアーゼ、リパーゼ、クチナーゼ、アミラーゼ、カルボヒドラーゼ、セルラーゼ、ペクチナーゼ、ペクチン酸リアーゼ、ヘミセルラーゼ（例えばマンナナーゼ、アラビナーゼ、ガラクタナーゼ、キシラナーゼ）、オキシダーゼ（例えばラッカーゼ）、又はペルオキシダーゼとの組み合わせの使用であって、非プロテアーゼ酵素の安定性が向上した、液体又はゲル型の水性洗剤組成物の調製のための使用。
【請求項９】
プロテアーゼと少なくとも１の非プロテアーゼ酵素を含んでなる液体又はゲル洗剤組成物における、プロテアーゼ酵素と他の酵素の組み合わせにおける、非プロテアーゼ酵素の安定性を向上させる方法であって、サブチリシンＫＬ又はその変異体をプロテアーゼ酵素として用いて液体又はゲル洗剤組成物を調製することを含んでなる方法。
【請求項１０】
少なくとも１の非プロテアーゼ酵素がリパーゼ、クチナーゼ、アミラーゼ、カルボヒドラーゼ、セルラーゼ、ペクチナーゼ、ペクチン酸リアーゼ、ヘミセルラーゼ（例えばマンナナーゼ、アラビナーゼ、ガラクタナーゼ、キシラナーゼ）、オキシダーゼ（例えばラッカーゼ）、又はペルオキシダーゼから選択される、請求項９記載の方法。
【手続補正書】
【提出日】平成22年9月16日(2010.9.16)
【手続補正１】
【補正対象書類名】特許請求の範囲
【補正対象項目名】全文
【補正方法】変更
【補正の内容】
【特許請求の範囲】
【請求項１】
成分として、
ａ１）少なくとも１種の脂肪ベースのポリオール、
ａ２）５００〜２０００ｇ／モルの数平均分子量を有する少なくとも１種のポリエーテロール、及び
ａ３）適宜、９０〜４００ｇ／モルの数平均分子量を有する１種以上の架橋剤、
を含むポリオール混合物であって、
ｘ）成分ａ１）の数平均分子量が、成分ａ２）の数平均分子量と４００ｇ／モル以下異なり、そして
ｘｉ）成分ａ１）及びａ２）のＯＨ価が相互に対して０．５を超えて異ならず、且つ
ポリオール混合物が、４５〜６５質量％の成分ａ１）と、３５〜５４質量％の成分ａ２）と、１〜２１質量％の成分ａ３）と、を含むことを特徴とするポリオール混合物。
【請求項２】
成分ａ）が、ヒマシ油を基礎とする少なくとも１種のポリオールを含む請求項１に記載のポリオール混合物。
【請求項３】
成分ａ１）及びａ２）が、それぞれ２．６〜３のＯＨ価を有する請求項１又は２に記載のポリオール混合物。
【請求項４】
成分ａ２）が、ポリエーテロールとしてプロポキシル化トリメチロールプロパン及び／又はプロポキシル化グリセロールを含む請求項１〜３のいずれか１項に記載のポリオール混合物。
【請求項５】
（Ａ）請求項１〜４のいずれか１項に記載のポリオール混合物と、
（Ｂ）イソシアネート成分ｂ１）及びジオール成分ｂ２）を基礎とする少なくとも１種の変性イソシアネートと、
を基礎とする成分を含む包埋用組成物。
【請求項６】
ジオール成分ｂ２）が、数平均分子量の点で異なる少なくとも２種の異なるプロピレングリコールによる混合物である請求項５に記載の包埋用組成物。
【請求項７】
ジオール成分ｂ２）が、分子量の点で異なる少なくとも３種の異なるプロピレングリコールを含む混合物であり、且つ少なくとも１種のプロピレングリコールが、７００〜１３００ｇ／モルの数平均分子量を有し、少なくとも１種のプロピレングリコールが、２５０〜６５０ｇ／モルの数平均分子量を有し、そして少なくとも１種のプロピレングリコールが、５０〜２００ｇ／モルの数平均分子量を有する請求項５又は６に記載の包埋用組成物。
【請求項８】
請求項５〜７のいずれか１項に記載の包埋用組成物をポッティング用材料として使用する方法。
【請求項９】
請求項８に記載の包埋用組成物を、透析用フィルタのポッティング用材料として使用する方法。
【請求項１０】
（Ａ）適宜、触媒（Ｃ）を含む請求項１〜４のいずれか１項に記載のポリオール混合物を、
（Ｂ）イソシアネート成分ｂ１）及びジオール成分ｂ２）を基礎とする少なくとも１種の変性イソシアネートと、
混合する工程を含む請求項５〜９のいずれか１項に記載の包埋用組成物を製造する方法。
【請求項１１】
６００ｍＰａ・ｓ以下の混合粘性を設定する請求項１０に記載の包埋用組成物の製造方法。
【請求項１２】
請求項５〜７のいずれか１項に記載の包埋用組成物、或いは請求項１０又は１１に記載の方法により製造される包埋用組成物を含む透析用フィルタ。
【請求項１３】
（Ａ）請求項１〜４のいずれか１項に記載のポリオール混合物と、
（Ｂ）イソシアネート成分ｂ１）及びジオール成分ｂ２）を基礎とする少なくとも１種の変性イソシアネートと、
を別個に存在するが、一緒に使用する成分として含む組み合わせ。
【誤訳訂正書】
【提出日】平成22年8月6日(2010.8.6)
【誤訳訂正１】
【訂正対象書類名】特許請求の範囲
【訂正対象項目名】全文
【訂正方法】変更
【訂正の内容】
【特許請求の範囲】
【請求項１】
リン脂質混合物、およびネイティブなサーファクタントタンパク質ＳＰ−Ｃのポリペプチドアナログとネイティブなサーファクタントタンパク質ＳＰ−Ｂのポリペプチドアナログの組み合わせを含む再構成サーファクタントであって、該ネイティブなサーファクタントタンパク質ＳＰ−Ｃのポリペプチドアナログが、一般式（Ｉ）
【化１１】
2010505937.tif 000001
［式中、
Ｘは、Ｉ、Ｌ、およびｎＬからなる群より独立して選択されるアミノ酸残基であり；
Ｂは、Ｋ、Ｗ、Ｆ、Ｙ、およびＯｒｎからなる群より独立して選択されるアミノ酸残基であり；
Ｓは、エステル結合により側鎖に結合した、１２〜２２個の炭素原子、好ましくは１６個の炭素原子を含むアシル基により場合により置換されていてもよく；
Ωは、Ｍまたは硫黄原子が酸化されたそれ、Ｉ、Ｌ、およびｎＬからなる群より選択されるアミノ酸残基であり；
ａは、１〜８に含まれる値を有する整数であり；
ｂは、１〜１９に含まれる値を有する整数であり；
ｃは、３〜８より独立して選択される値を有する整数であり；
ｅ、ｆ、ｇおよびｐは、０または１の値を有する整数であり；
ｎは、０〜３に含まれる値を有する整数であり；
ＸaＢＸb（ＢＸc）nは、最大２２個のアミノ酸を有する配列であることを条件とする］
により表される配列を有する、少なくとも２０個で最大４０個のアミノ酸残基のポリペプチドであり、
該ネイティブなサーファクタントタンパク質ＳＰ−Ｂのポリペプチドアナログが、一般式（ＩＩ）
【化１２】
2010505937.tif 000002
［式中、
Δは、ＷおよびＬからなる群より選択されるアミノ酸残基であり；
Ωは、Ｍ、Ｉ、Ｌ、およびｎＬからなる群より独立して選択されるアミノ酸残基であり；
Φは、ＲおよびＴからなる群より選択されるアミノ酸残基であり；そして
ｆは、０または１の値を有する整数である］
のポリペプチドである、再構成サーファクタント。
【請求項２】
ΦがＲである、請求項１記載の再構成サーファクタント。
【請求項３】
ネイティブなサーファクタントタンパク質ＳＰ−Ｃのアナログおよびネイティブなサーファクタントタンパク質ＳＰ−Ｂのアナログが、一定の組み合わせで存在する、請求項１または２記載の再構成サーファクタント。
【請求項４】
ポリペプチド（ＩＩ）が、１および３３位における二つのＣｙｓ残基の間ならびに／または４および２７位における二つのＣｙｓ残基の間に分子内ジスルフィド結合を有するジスルフィド結合した分子の形態である、請求項１〜３のいずれか一項記載の再構成サーファクタント組成物。
【請求項５】
ネイティブなサーファクタントタンパク質ＳＰ−Ｂのアナログが、一般式（ＩＩａ）
【化１３】
2010505937.tif 000003
により表される、請求項１〜３のいずれか一項記載の再構成サーファクタント組成物。
【請求項６】
ネイティブなサーファクタントタンパク質ＳＰ−Ｃのアナログが、一般式（Ｉａ）
【化１４】
2010505937.tif 000004
［式中、
Ｘ、ＢおよびΩは、上に定義する通りであり；
ａは、１〜８、好ましくは１〜３、さらに好ましくは１であり；
ｂは、１〜１９、好ましくは５〜１５、さらに好ましくは１４であり；そして
ｆおよびｐは、０または１である］
により表される、請求項５記載の再構成サーファクタント。
【請求項７】
ネイティブなサーファクタントタンパク質ＳＰ−Ｃのアナログが、一般式（Ｉｂ）
【化１５】
2010505937.tif 000005
［式中、
Ｘ、Ｂ、Ω、ａおよびｂは、上に定義する通りであり；そして
ｐは、０または１である］
により表される、請求項６記載の再構成サーファクタント組成物。
【請求項８】
ネイティブなサーファクタントタンパク質ＳＰ−Ｃのアナログが、一般式（Ｉｃ）
【化１６】
2010505937.tif 000006
［式中、
Ωは、上に定義する通りであり；そして
ｐは、０または１である］
により表される、請求項７記載の再構成サーファクタント組成物。
【請求項９】
ネイティブなサーファクタントタンパク質ＳＰ−Ｃのアナログが、
【化１７】
2010505937.tif 000007
からなる群より選択される、請求項８記載の再構成サーファクタント組成物。
【請求項１０】
ネイティブなサーファクタントタンパク質ＳＰ−Ｃのポリペプチドアナログが、
【化１８】
2010505937.tif 000008
であり、ネイティブなサーファクタントタンパク質ＳＰ−Ｂのポリペプチドアナログが、
【化１９】
2010505937.tif 000009
である、請求項１記載の再構成サーファクタント。
【請求項１１】
ネイティブなサーファクタントタンパク質ＳＰ−Ｃのポリペプチドアナログが、
【化２０】
2010505937.tif 000010
であり、ネイティブなサーファクタントタンパク質ＳＰ−Ｂのポリペプチドアナログが、
【化２１】
2010505937.tif 000011
である、請求項１記載の再構成サーファクタント。
【請求項１２】
リン脂質混合物が、９５：５〜５０：５０の範囲の重量比のジパルミトイルホスファチジルコリン（ＤＰＰＣ）およびパルミトイルオレオイルリン脂質を含み、該パルミトイルオレオイルリン脂質が、パルミトイルオレオイルホスファチジルグリセロール（ＰＯＰＧ）またはそれとパルミトイルオレオイルホスファチジルコリン（ＰＯＰＣ）の混合物より選択される、請求項１〜１１のいずれか一項記載の再構成サーファクタント。
【請求項１３】
リン脂質混合物が、６８：３１の重量比のＤＰＰＣおよびＰＯＰＧを含む、請求項１２記載の再構成サーファクタント。
【請求項１４】
請求項１〜１３のいずれか一項記載の再構成サーファクタントを含む薬学的組成物。
【請求項１５】
溶液、分散物、懸濁物または乾燥粉末の形態の、請求項１４記載の薬学的組成物。
【請求項１６】
水性懸濁物の形態の、請求項１５記載の薬学的組成物。
【請求項１７】
２〜１６０mg/mlに含まれる濃度の再構成サーファクタントを含む、請求項１６記載の薬学的組成物。
【請求項１８】
再構成サーファクタントの濃度が２０〜８０mg/mlに含まれる、請求項１７記載の薬学的組成物。
【請求項１９】
未熟児における呼吸窮迫症候群（ＲＤＳ）の処置もしくは予防のための、またはサーファクタントの欠乏もしくは機能不全に関係する他の疾患の処置もしくは予防への、請求項１〜１３のいずれか一項記載の再構成サーファクタントの使用。
【請求項２０】
サーファクタントの欠乏または機能不全に関係する疾患に、成人ＲＤＳ（ＡＲＤＳ）、胎便吸引症候群（ＭＡＳ）、および気管支肺異形成症（ＢＰＤ）が含まれる、請求項１９記載の使用。
【誤訳訂正書】
【提出日】平成22年3月25日(2010.3.25)
【誤訳訂正１】
【訂正対象書類名】特許請求の範囲
【訂正対象項目名】請求項１
【訂正方法】変更
【訂正の内容】
【請求項１】
ｉ）  １種またはそれ以上の微細に分散させた発泡剤、
ｉｉ）  １種またはそれ以上のメタロセン−ポリオレフィンワックス、
ｉｉｉ）  場合によっては極性および無極性の非メタロセン−ポリオレフィンワックスから選択された１種またはそれ以上のワックスならびに
ｉｖ）  場合によってはエチレンおよび／またはプロピレンの１種またはそれ以上のホモ−および／またはコポリマー、
を含有する作用物質組成物であって、
前記発泡剤が少なくとも５〜９０重量％の量で、かつ前記ポリオレフィンワックスｉｉ）が少なくとも１０重量％で前記組成物中に含有されている作用物質組成物。
【誤訳訂正２】
【訂正対象書類名】特許請求の範囲
【訂正対象項目名】請求項７
【訂正方法】変更
【訂正の内容】
【請求項７】
アゾジカルボンアミド、ニトロソ化合物、ヒドラジドおよびクエン酸ならびにクエン酸誘導体、クエン酸塩およびクエン酸エステルおよび炭酸水素ナトリウムまたはそれらの混合物、ならびにポリマーシェル（polymerer Huelle）を有し、気体もしくは低沸点の液体、例えばイソペンタンもしくはイソオクタンで満たされたマイクロスフェアを含む群から選択された１種またはそれ以上の吸熱性もしくは発熱性の発泡剤を含有することを特徴とする請求項１〜６のいずれか１つに記載の組成物。
【誤訳訂正３】
【訂正対象書類名】明細書
【訂正対象項目名】００１５
【訂正方法】変更
【訂正の内容】
【００１５】
従って本発明の対象は、
ｉ）  １種またはそれ以上の微細に分散させた発泡剤、
ｉｉ）  １種またはそれ以上のメタロセン−ポリオレフィンワックス、
ｉｉｉ）  場合によっては極性および無極性の非メタロセン−ポリオレフィンワックスから選択された１種またはそれ以上のワックスならびに
ｉｖ）  場合によってはエチレンおよび／またはプロピレンの１種またはそれ以上のホモ−および／またはコポリマー、
を含有する冒頭に記載の種類の作用物質組成物もしくは作用物質調製物であって、
前記発泡剤が少なくとも５〜９０重量％の量で、かつ前記ポリオレフィンワックスｉｉ）が少なくとも１０重量％で前記組成物中に含有されている作用物質組成物もしくは作用物質調製物である。
【手続補正書】
【提出日】平成22年9月8日(2010.9.8)
【手続補正１】
【補正対象書類名】明細書
【補正対象項目名】００５９
【補正方法】変更
【補正の内容】
【００５９】
ハンダ槽安定性：
上記の方法に従って貼り付けたＦＰＣ基板複合体を２８８℃の熱いハンダ槽に１０秒間置く。接合は、ＦＰＣ基板のポリイミドフィルムを膨張させる気泡が生じない場合にハンダ槽耐久性があると評価した。この試験は、既に僅かな気泡の発生が有った場合に耐久性がないと評価した。
【手続補正書】
【提出日】平成22年8月18日(2010.8.18)
【手続補正１】
【補正対象書類名】明細書
【補正対象項目名】００１１
【補正方法】変更
【補正の内容】
【００１１】
ポリアミドの軟化点が高いので、高温で初めて加工が可能となる。さらにポリアミド、エポキシ樹脂及び硬化剤よりなる接着剤は制限された貯蔵安定性しか有していない。
【手続補正２】
【補正対象書類名】明細書
【補正対象項目名】００２１
【補正方法】変更
【補正の内容】
【００２１】
本発明の接着剤で使用されるポリアミドは高過ぎない分子量（好ましくは４００００以下の重量平均分子量Ｍｗ）を有しそして柔軟化されているか或いは部分的に又は全く結晶質であるべきでない。これは、一方においては、接着剤の上述の柔軟性のために必要であり、もう一方においては原料が好ましくは溶液状態から加工されそして完全に結晶質のポリアミドは溶解が困難でありそしてトリフルオロ酢酸又は硫酸のような不都合な溶剤にしか溶解しない。
【手続補正３】
【補正対象書類名】明細書
【補正対象項目名】００３２
【補正方法】変更
【補正の内容】
【００３２】
エポキシ樹脂としては一般に分子当たり１つより多いエポキシ基を持つモノマー或いはオリゴマー化合物を意味する。これらはグリシドエステル又はエピクロロヒドリンとビスフェノールＡ又はビスフェノールＦ又はこれら両者の混合物との反応生成物もある。同様にフェノールとホルムアルデヒドとの反応生成物にエピクロロヒドリンが反応して得られるエポキシドノボラック樹脂も使用することができる。エポキシ樹脂の希釈剤として使用される、複数のエポキシ基を持つモノマー化合物も使用することができる。同様に弾性変性されたエポキシ樹脂も使用することできる。
【手続補正４】
【補正対象書類名】明細書
【補正対象項目名】００４３
【補正方法】変更
【補正の内容】
【００４３】
可塑剤としてはＰＶＣにおいて一般的に使用される可塑剤が適する。これらは、例えば以下の群から選択できる：
−  フタレート、例えばＤＥＨＰ（ジエチルヘキシルフタレート）、ＤＢＰ（ジブチルフタレート）、ＢＢｚＰ（ブチルベンジルフタレート）、ＤｎＯＰ（ジ−ｎ−オクチルフタレート）、ＤｉＮＰ（ジイソノニルフタレート）、ＤｉＤＰ（ジデシルフタレート）；
−  トリメリテート類、例えばＴＯＴＭ（トリオクチルトリメリテート）、ＴＩＮＴＭ（トリイソノニルトリメリテート）；
−  脂肪族ジカルボン酸エステル、例えばＤＯＭ（ジオクチルマレエート）、ＤＯＡ（ジオクチルアジペート）、ＤＩＮＡ（ジイソノニルアジペート）；
−  リン酸エステル、例えばＴＣＥＰ（トリス（２−クロロエチル）ホスファート）；
−  天然油、例えばひまし油又は樟脳。
【手続補正５】
【補正対象書類名】明細書
【補正対象項目名】００５６
【補正方法】変更
【補正の内容】
【００５６】
重量平均分子量Ｍｗの分子量測定はゲルパーミッションクロマトグラフィー（ＧＰＣ）によって行う。溶離液として０．１容量％のトリフルオロ酢酸を含有するＴＨＦ（テトラヒドロフラン）を使用した。測定は２５℃で行った。予備カラムとしてＰＳＳ−ＳＤＶタイプのカラム（５μｍ、１０３オングストローム、ＩＤ  ８．０ｍｍ×５０ｍｍ）を使用した。分離は、カラムＰＳＳ−ＳＤＶ（５μ、１０３並びに１０５及び１０６オングストローム、それぞれのＩＤ  ８．０ｍｍ×３００ｍｍ）を使用した。試料濃度は４ｇ／Ｌで、流量は１．０ｍＬ／分である。ＰＭＭＡを基準として測定した。
【手続補正書】
【提出日】平成22年10月22日(2010.10.22)
【手続補正１】
【補正対象書類名】特許請求の範囲
【補正対象項目名】全文
【補正方法】変更
【補正の内容】
【特許請求の範囲】
【請求項１】
竹抽出物とコガネバナ抽出物との混合組成物を活性成分として含むアトピー性皮膚炎治療又は予防用薬剤学的組成物。
【請求項２】
ヒスタミン又はロイコトリエンの放出を阻害するための、請求項１に記載の組成物。
【請求項３】
アトピー性皮膚炎の治療又は予防が、紅斑（Erythema）、浮腫（Edema）、丘疹（Papulation）、滲出（Oozing）、痂皮（Crust）、表皮剥離（Excoriation）、苔蘚化（Lichenification）、又は乾燥（Dryness）の改善である、請求項１に記載の組成物。
【請求項４】
アトピー性皮膚炎の治療又は予防が、経皮湿り損失量の低減である、請求項１に記載の組成物。
【請求項５】
上記混合組成物は、竹抽出物：コガネバナ抽出物の重量比が１〜１０:１〜１０である請求項１〜４のいずれか１項に記載のアトピー性皮膚炎治療又は予防用組成物。
【請求項６】
上記重量比が、１〜５：１〜５である請求項１〜５のいずれか１項に記載のアトピー性皮膚炎治療又は予防用組成物。
【請求項７】
上記重量比が、１〜３：１〜３である請求項１〜６のいずれか１項に記載のアトピー性皮膚炎治療又は予防用組成物。
【請求項８】
上記竹抽出物は、５０〜９０％エタノール抽出物である請求項１〜７のいずれかに１項に記載のアトピー性皮膚炎治療又は予防用組成物。
【請求項９】
上記竹抽出物は、熱水抽出物のエタノール溶解性画分物である請求項１〜７のいずれか１項に記載のアトピー性皮膚炎治療又は予防用組成物。
【請求項１０】
上記コガネバナ抽出物は、水、メタノール、エタノール又はこれらの混合物で抽出される請求項８に記載のアトピー性皮膚炎治療又は予防用組成物。
【請求項１１】
上記コガネバナ抽出物は、水、メタノール、エタノール又はこれらの混合物で抽出される請求項９に記載のアトピー性皮膚炎治療又は予防用組成物。
【請求項１２】
竹抽出物とコガネバナ抽出物との混合組成物を用いることによる、アトピー性皮膚炎の治療又は予防用薬剤を製造する方法。
【請求項１３】
上記混合組成物は、竹抽出物：コガネバナ抽出物の重量比が１〜１０：１〜１０である請求項１２に記載の方法。
【請求項１４】
上記重量比が、１〜５：１〜５である請求項１２又は１３に記載の方法。
【請求項１５】
上記重量比が１〜３：１〜３である請求項１２〜１４のいずれか１項に記載の方法。
【請求項１６】
上記竹抽出物は、５０〜９０％エタノール抽出物である請求項１２〜１５のいずれか１項に記載の方法。
【請求項１７】
上記竹抽出物は、熱水抽出物のエタノール溶解性画分物である請求項１２〜１５のいずれか１項に記載の方法。
【請求項１８】
上記コガネバナ抽出物は、水、メタノール、エタノール又はこれらの混合物で抽出される請求項１６に記載の方法。
【請求項１９】
上記コガネバナ抽出物は、水、メタノール、エタノール又はこれらの混合物で抽出される請求項１７に記載の方法。
【手続補正書】
【提出日】平成22年10月7日(2010.10.7)
【手続補正１】
【補正対象書類名】特許請求の範囲
【補正対象項目名】全文
【補正方法】変更
【補正の内容】
【特許請求の範囲】
【請求項１】
哺乳動物における神経学的障害、眼科学的障害、およびその組合せより成る群の一員を治療するための医薬組成物であって、該医薬組成物が式Ｖで表わされる求電子化合物：
【化１】
2010505958.tif 000001
［式中、
Ｘ21、Ｘ22、Ｘ23、Ｘ24、Ｘ25、Ｘ26およびＸ27は、それぞれ独立してＨ、ＯＨ、オキソ、またはＹであり、
ＹはＢ−Ｃ−ＤまたはＣ−Ｂ−ＤまたはＣ−Ｂ−Ｃ−Ｄであり、そのいずれかは環炭素に結合して縮合環を形成してもよく、
Ｂは不存在、カルボニル、カルボキシ、エーテル、スルファニル、アミノ、−ＮＨＣ（Ｏ）−および−Ｃ（Ｏ）ＮＨ−より成る群から選択され、そのいずれかは場合により置換され、
Ｃは不存在、アルキル、シクロアルキル、アルケニル、シクロアルケニル、アリール、アリールアルキル、およびアリールアルケニルより成る群から選択され、そのいずれかは場合により置換され、かつ縮合環を形成するために環炭素に結合されていてもよく、
Ｄは不存在、カルボキシ、安息香酸、ヒドロキシ安息香酸、ＳＯ3Ｈ、ＰＯ3、ＮＯ3、ＮＯ2、ＮＯ、アミノ、ヒドロキシル、ならびにそのエーテルおよびエステル誘導体より成る群から選択される］
、またはその薬学的に許容されるプロドラッグ、塩もしくは溶媒和物である、上記医薬組成物。
【請求項２】
前記求電子化合物が、図３に示されるオルト化合物から選択される、請求項１に記載の医薬組成物。
【請求項３】
前記求電子化合物が、カルノシン酸である、請求項１または２に記載の医薬組成物。
【請求項４】
哺乳動物における神経学的障害、眼科学的障害、およびその組合せより成る群の一員を治療するための医薬組成物であって、該医薬組成物が式ＩＶで表わされる求電子化合物：
【化２】
2010505958.tif 000002
［式中、
Ｘ21、Ｘ22、Ｘ23、Ｘ24、Ｘ25、Ｘ26およびＸ27は、それぞれ独立してＨ、ＯＨ、オキソ、またはＹであり、
ＹはＢ−Ｃ−ＤまたはＣ−Ｂ−ＤまたはＣ−Ｂ−Ｃ−Ｄであり、そのいずれかは環炭素に結合して縮合環を形成してもよく、
Ｂは不存在、カルボニル、カルボキシ、エーテル、スルファニル、アミノ、−ＮＨＣ（Ｏ）−および−Ｃ（Ｏ）ＮＨ−より成る群から選択され、そのいずれかは場合により置換され、
Ｃは不存在、アルキル、シクロアルキル、アルケニル、シクロアルケニル、アリール、アリールアルキル、およびアリールアルケニルより成る群から選択され、そのいずれかは場合により置換され、かつ縮合環を形成するために環炭素に結合されていてもよく、
Ｄは不存在、カルボキシ、安息香酸、ヒドロキシ安息香酸、ＳＯ3Ｈ、ＰＯ3、ＮＯ3、ＮＯ2、ＮＯ、アミノ、ヒドロキシル、ならびにそのエーテルおよびエステル誘導体より成る群から選択される］
、またはその薬学的に許容されるプロドラッグ、塩もしくは溶媒和物である、上記医薬組成物。
【請求項５】
前記求電子化合物が、図３に示されるパラ化合物から選択される、請求項４に記載の医薬組成物。
【請求項６】
前記哺乳動物がヒトである、請求項１〜５のいずれか１項に記載の医薬組成物。
【請求項７】
前記神経学的障害、眼科学的障害、またはその組合せが、精神的外傷、虚血、および低酸素症より成る群の少なくとも一員に起因する、請求項１〜５のいずれか１項に記載の医薬組成物。
【請求項８】
前記神経学的障害、眼科学的障害、またはその組合せが、疼痛を伴う神経障害、神経障害痛、糖尿病性神経障害、薬物依存、薬物添加、薬物離脱症状、ニコチン離脱症状、アヘン耐性、アヘン離脱症状、うつ病、不安神経症、運動障害、遅発性ジスキネジー、血液−脳関門を中断させる脳感染、髄膜炎、髄膜脳炎、発作、低血糖症、心停止、脊髄傷害、頭部傷害、周産期低酸素症、心停止、低血糖神経傷害、緑内障、網膜虚血、虚血性視神経障害、黄斑変性症、多発性硬化症、高ホモシステイン血症の続発症、けいれん、疼痛、統合失調症、筋けいれん、片頭痛、尿失禁、嘔吐、脳浮腫、遅発性ジスキネジー、ＡＩＤＳ−誘発（または関連）認知症、眼傷害、網膜症、認知障害、およびＨＩＶ感染と関連した神経傷害より成る群から選択される、請求項１〜５のいずれか１項に記載の医薬組成物。
【請求項９】
前記神経学的障害、眼科学的障害、またはその組合せが、てんかん、アルツハイマー病、血管（多発梗塞性）認知症、ハンチントン病、パーキンソニズム、多発性硬化症、筋萎縮性側索硬化症、および最小認知障害より成る群から選択される、請求項１〜５のいずれか１項に記載の医薬組成物。
【手続補正書】
【提出日】平成22年10月5日(2010.10.5)
【手続補正１】
【補正対象書類名】特許請求の範囲
【補正対象項目名】全文
【補正方法】変更
【補正の内容】
【特許請求の範囲】
【請求項１】
式IV又はVを有する化合物、又はその医薬として許容し得る塩若しくは溶媒和物:
【化１】
2010505957.tif 000001
(式中、
Vは、シクロ(C3〜C7)アルキル、ヘテロシクロ(C3〜C7)アルキル、アリール、ヘテロアリール、アリール(C1〜C4)アルキル、又はヘテロアリール(C1〜C4)アルキルであり;
Wは、単結合、(C1〜C5)アルキレン、(C2〜C5)アルケニレン、-O-、-S(O)k-、-C(O)-、-NR6-、又は-CH2NR6-であり;
R1は、(C1〜C6)アルキル、(C1〜C6)アルケニル、ヘテロ(C2〜C6)アルキル、シクロ(C3〜C7)アルキル、ヘテロシクロ(C3〜C7)アルキル、アリール、ヘテロアリール、アリール(C1〜C4)アルキル、又はヘテロアリール(C1〜C4)アルキルであり;
R2は、水素、ハロゲン、(C1〜C6)アルキル、-CN、ハロ(C1〜C6)アルキル、(C1〜C6)アルコキシ、ハロ(C1〜C6)アルコキシ、又は(C2〜C6)アルケニルであり;場合によって、R2及びWは一緒になって、O、S及びNから選択されるヘテロ原子0、1、2又は3個を含有する5員又は6員縮合環を形成し;
R4は、(C1〜C8)アルキル、ヘテロ(C2〜C8)アルキル、シクロ(C3〜C7)アルキル、アリール、ヘテロアリール、アリール(C1〜C4)アルキル、又はヘテロアリール(C1〜C4)アルキルであり;
R6は、水素、(C1〜C8)アルキル、フルオロ(C1〜C4)アルキル、ヘテロ(C2〜C8)アルキル、アリール、ヘテロアリール、アリール(C1〜C4)アルキル、-C(O)R'、-CO2R'、-C(O)NR'R''、-S(O)kR'、又は-S(O)kNR'R''であり;
R'及びR''はそれぞれ独立に、水素、(C1〜C6)アルキル、シクロ(C3〜C8)アルキル、アリール、又はアリール(C1〜C4)アルキルであり;かつ
下付き添字kはそれぞれ独立に、0、1又は2である。)。
【請求項２】
R2が、メチル、トリフルオロメチル、クロロ、又はフルオロである、請求項1記載の化合物。
【請求項３】
R4が、(C4〜C6)アルキル、ヘテロ(C4〜C6)アルキル、又はシクロ(C4〜C6)アルキルである、請求項1記載の化合物。
【請求項４】
Wが単結合である、請求項1記載の化合物。
【請求項５】
R1が、フリル、チオフェニル、イソキサゾリル、オキサゾリル、チアゾリル、ピロリル、チエニル、ピペリジニル、シクロブチル、及びシクロペンチルから選択される、請求項4記載の化合物。
【請求項６】
R4が、ブチル又はシクロプロピルメチルである、請求項1記載の化合物。
【請求項７】
医薬として許容し得る担体又は賦形剤と、請求項1〜6のいずれか一項記載の化合物とを含む医薬組成物。
【請求項８】
2型糖尿病、糖尿病性ケトアシドーシス、高血糖、糖尿病性神経障害、肥満、代謝性症候群、炎症、喘息、乾癬、関節炎、関節リウマチ、炎症性腸疾患、癌、及び神経性障害からなる群から選択される疾患若しくは状態、又はその症状を治療するための医薬組成物であって、請求項1〜6のいずれか一項記載の化合物を含む、前記医薬組成物。
【請求項９】
前記疾患又は状態が、2型糖尿病、糖尿病性ケトアシドーシス、高血糖、及び糖尿病性神経障害からなる群から選択される、請求項8記載の医薬組成物。
【請求項１０】
医薬品として使用するための、請求項1〜6のいずれか一項記載の化合物。
【請求項１１】
2型糖尿病、糖尿病性ケトアシドーシス、高血糖、糖尿病性神経障害、肥満、代謝性症候群、炎症、喘息、乾癬、関節炎、関節リウマチ、炎症性腸疾患、癌、及び神経性障害からなる群から選択される疾患又は状態を治療する医薬品を製造するための、請求項1〜6のいずれか一項記載の化合物の使用。
【請求項１２】
請求項1〜6のいずれか一項記載の化合物を含む、対象における血漿中インスリン濃度を調節するための医薬組成物。
【請求項１３】
前記対象がヒトである、請求項8又は9記載の医薬組成物。
【請求項１４】
前記化合物が、経口的、非経口的、又は局所的に投与されるように調製される、請求項8又は9記載の医薬組成物。
【請求項１５】
前記化合物が、第2の治療薬と併用して投与されるように調製される、請求項8記載の医薬組成物。
【請求項１６】
前記第2の治療薬が、2型糖尿病、糖尿病性ケトアシドーシス、高血糖、糖尿病性神経障害、又はそれらの症状を治療するのに有用である、請求項15記載の医薬組成物。
【請求項１７】
前記第2の治療薬が、スルホニル尿素、メトホルミン、アカルボース、ナテグリニド、ピオグリタゾン、又はロシグリタゾンである、請求項15記載の医薬組成物。
【請求項１８】
膵臓ベータ細胞からのインスリンの分泌を調節する方法であって、該ベータ細胞を、該膵臓ベータ細胞の分泌を調節するのに有効な条件下で、ある量の請求項1〜6のいずれか一項記載の化合物と接触させることを含む前記方法。
【請求項１９】
対象における血漿中インスリン濃度を調節する治療的使用のための、請求項1〜6のいずれか一項記載の化合物。
【手続補正書】
【提出日】平成22年1月5日(2010.1.5)
【手続補正１】
【補正対象書類名】特許請求の範囲
【補正対象項目名】全文
【補正方法】変更
【補正の内容】
【特許請求の範囲】
【請求項１】
アイレットを有する少なくとも一つのアンカーをその中に収容するための内腔を画成するシャフトと、
前記アンカーを前記内腔から遠位に配備するための機構と、を備え、
前記内腔の内径は、前記アンカーが拡張された際に該内腔の内部に配置される該アンカーの前記アイレットの直径と同じサイズであるかそれより小さい、組織用アンカーを配備するための装置。
【請求項２】
前記シャフトの遠位先端が該シャフトを貫通するスロットを有している、請求項1に記載の装置。
【請求項３】
遠位先端ショルダをさらに備えている、請求項2に記載の装置。
【請求項４】
前記遠位先端ショルダが該遠位先端ショルダを貫通するスロットを有している、請求項3に記載の装置。
【請求項５】
前記遠位先端ショルダの前記スロットと、前記シャフトの前記スロットの前記遠位先端とが、軸方向に位置合せされている、請求項4に記載の装置。
【請求項６】
遠位先端ショルダをさらに備え、該遠位先端ショルダが前記シャフトの一区域を構成している、請求項1に記載の装置。
【請求項７】
前記シャフトの前記遠位先端が前記遠位先端ショルダを超えて延びている、請求項3に記載の装置。
【請求項８】
前記シャフトの前記遠位先端を超えて延びる部分が、該シャフトの前記遠位先端ショルダを超えて延びない部分よりも小さい外径を有している、請求項7に記載の装置。
【請求項９】
前記シャフトの前記遠位先端が、約1mmから約3mmだけ前記遠位先端ショルダを超えて延びている、請求項7に記載の装置。
【請求項１０】
前記シャフトが可撓性材料で製作されている、請求項1に記載の装置。
【請求項１１】
前記材料が、ナイロン、ナイロンブレンド、ニッケルチタン合金、ポリエチレン、ポリエーテルエーテルケトン、ポリエーテルブロックアミド、ポリテトラフルオロエチレン、フッ化エチレンプロピレンコポリマー、ステンレス鋼、支持金属編組またはコイルを備えまたは備えないポリマーブレンド、それらの組合せ、およびそのような一つまたは複数の材料の混合物からなる群から選択される材料からなる、請求項10に記載の装置。
【請求項１２】
スリーブが前記シャフトの少なくとも一部を取り囲んでいる、請求項10に記載の装置。
【請求項１３】
前記スリーブが、編組ポリエステル、ポリエステル織物、ポリウレタン、ポリプロピレン、ニッケルチタン合金、ステンレス鋼、伸展ポリテトラフルオロエチレン、それらの組合せ、およびそのような一つまたは複数の材料の混合物からなる群から選択される材料から製作されている、請求項12に記載の装置。
【請求項１４】
その遠位端付近でバルーンを膨張させるように構成された追加の内腔をさらに備えている、請求項10に記載の装置。
【請求項１５】
前記バルーンが、ナイロン、ポリエチレン、ポリウレタン、それらの組合せ、およびそのような一つまたは複数の材料の混合物からなる群から選択される材料から製作されている、請求項13に記載の装置。
【請求項１６】
前記シャフトが剛性材料で製作されている、請求項1に記載の装置。
【請求項１７】
前記剛性材料が、ステンレス鋼、ニッケルチタン合金、カーボン充填ナイロン、カーボン充填ポリエーテルエーテルケトン、ポリプロピレン、高密度ポリエチレン、それらの組合せ、または一つまたは複数のそのような材料の混合物からなる群から選択される材料である、請求項16に記載の装置。
【請求項１８】
前記シャフトがその遠位端付近に湾曲部を有している、請求項16に記載の装置。
【請求項１９】
前記湾曲部が約15°から約90°の範囲の角度を有している、請求項18に記載の装置。
【請求項２０】
少なくとも2つのシャフトを備えている、請求項1に記載の装置。
【請求項２１】
前記シャフトが、少なくとも2つのアンカーを該シャフトの中に受けるように構成されている、請求項1に記載の装置。
【請求項２２】
前記機構が、前記内腔の少なくとも一部の中に摺動式に配置されるプランジャであり、前記装置が、前記プランジャを作動させるアクチュエータをさらに備えている、請求項1に記載の装置。
【請求項２３】
アンカーをそこから遠位に配備するように構成された、シャフトを備える装置と、
前記アンカーを互いに結合させるように構成された連結部材と、を備えている、組織用アンカーを配備するためのキット。
【請求項２４】
前記キットの使用説明書をさらに備えている、請求項23に記載のキット。
【請求項２５】
前記連結部材が縫合糸である、請求項23に記載のキット。
【請求項２６】
前記装置が請求項1に記載の装置である、請求項23に記載のキット。
【請求項２７】
添付図面を参照して記載したものから実質的に構成された、組織用アンカーを配備するための装置。
【手続補正書】
【提出日】平成21年12月25日(2009.12.25)
【手続補正１】
【補正対象書類名】特許請求の範囲
【補正対象項目名】全文
【補正方法】変更
【補正の内容】
【特許請求の範囲】
【請求項１】
展張していない形態と展張形態とを有するアンカーであって、該アンカーは端部を有する２つの脚部を有し、該展張していない形態と、該展張形態との両方において、該アンカーの該脚部は、一方の端部からもう一方の端部まで単一の巻き方向で交差してループを形成し、該展張形態における脚部の端部が該ループに向かって湾曲している、アンカー。
【請求項２】
前記脚部の端部が鈍い、請求項１に記載のアンカー。
【請求項３】
前記脚部の端部が鋭い、請求項１に記載のアンカー。
【請求項４】
前記アンカーが形状記憶材料で作られている、請求項１に記載のアンカー。
【請求項５】
前記アンカーがニッケル−チタン合金を含む、請求項４に記載のアンカー。
【請求項６】
前記アンカーが超弾性材料で作られている、請求項１に記載のアンカー。
【請求項７】
前記脚部が前記展張していない形態において折り畳まれ、前記展張形態において拡張される、請求項１に記載のアンカー。
【請求項８】
前記アンカーが組織内で展張されるとき、該組織の動的負荷の間にエネルギーを吸収するために、該アンカーは前記展張形態から拡張し得るか、または折り畳み得る、請求項１に記載のアンカー。
【請求項９】
前記ループの少なくとも一部は、前記脚部より可撓性の低いループサイズ制限領域を含む、請求項１に記載のアンカー。
【請求項１０】
前記アンカーの少なくとも一部は、因子で被覆される、請求項１に記載のアンカー。
【請求項１１】
前記因子は、抗炎症薬、抗凝血剤、抗増殖性物質および増殖促進物質からなる群から選択される、請求項１０に記載のアンカー。
【請求項１２】
前記因子が増殖促進物質である、請求項１１に記載のアンカー。
【請求項１３】
前記アンカーの少なくとも一部は、増加した摩擦の領域を有する、請求項１に記載のアンカー。
【請求項１４】
前記アンカーは少なくとも１つのセンサを備える、請求項１に記載のアンカー。
【請求項１５】
前記ループは、前記アンカーが前記展張していない形態から前記展張形態まで変化するにつれ、縮小する開口部を画定する、請求項１に記載のアンカー。
【請求項１６】
アンカーを組織に固定するシステムであって、該システムは、
展張していない形態と展張形態とを有する圧縮可能なアンカーであって、該アンカーは端部を有する２つの脚部を有し、該脚部は、一方の端部からもう一方の端部まで単一の巻き方向で交差してループを形成し、該ループは開口部を画定する、アンカーと、
該アンカーを該展張していない形態から解放する手段と
を備え、該アンカーを解放することによって、該ループに向かう湾曲した経路において該組織を通って該脚部の端部が展張し、該アンカーを該組織内に固定する、システム。
【請求項１７】
心室組織に接触するように、動作デバイスを心臓の左心室内に前進させるシステムであって、
僧帽弁尖および心室壁の交差部において、または該僧帽弁および心室壁の交差部近くで、左心室に前進するように構成される動作デバイスであって、該動作デバイスの遠位端はすべて該心室内にある、動作デバイスと、
該僧帽弁尖および心室壁の交差部において、または該僧帽弁および心室壁の交差部近くで、該動作デバイスの長手方向軸に沿って、該動作デバイスの該遠位端を該心室壁組織に押し付ける手段と、
複数のスライド可能に連結されたアンカーを、該僧帽弁尖および心室壁の交差部に、または該僧帽弁および心室壁の交差部近くに送達する手段と
を備え、該アンカーは、テザーによって互いに直接連結され、該各アンカーの全てが該心室内で固定される、システム。
【請求項１８】
前記動作デバイスは、前記左心室内に、逆行方式で前進されるように構成される、請求項１７に記載のシステム。
【請求項１９】
前記動作デバイスは、動脈を通過するように構成される、請求項１８に記載のシステム。
【請求項２０】
前記遠位端を押し付けることは、前記動作デバイスに関連付けられた拡張可能要素を拡張することによって実行される、請求項１７に記載のシステム。
【請求項２１】
前記アンカーは自己形成アンカーである、請求項１７に記載のシステム。
【請求項２２】
前記動作デバイスは、
長手方向軸と開放性の内部とを有する細長い筐体と、
該筐体の該開放性内部内の自己形成組織係合可能アンカーと
を備え、各アンカーは、第１の部分と第２の部分とを有し、該第２の部分は組織穿孔先端を有し、
該筐体は、側壁開口部を有し、該側壁開口部は、最初にほぼ放射状に外側に該開口部を通る該アンカーの先端が通過するようなサイズであり、
各アンカーは、該筐体内で該長手方向軸にほぼ平行に展張していない形態で、比較的真っ直ぐに配置可能であり、
該アンカーを送達することは、最初に該開口部を通る該アンカーの先端を駆動し、各アンカーが、該筐体の該開口部を通過したのち、湾曲した組織係合展張状態を自然にとることを含む、請求項１７に記載のシステム。
【請求項２３】
前記展張状態において、前記動作デバイスの前記細長い筐体は、直径寸法ｄを有し、アンカーは、直径寸法Ｄを有し、ｄに対するＤの比は少なくとも３．５である、請求項２２に記載のシステム。
【請求項２４】
前記展張状態において、前記動作デバイスの前記細長い筐体は、直径寸法ｄを有し、アンカーは、直径寸法Ｄを有し、ｄに対するＤの比は少なくとも４．４である、請求項２２に記載のシステム。
【請求項２５】
前記展張状態において、前記動作デバイスの前記細長い筐体は、直径寸法ｄを有し、アンカーは、直径寸法Ｄを有し、ｄに対するＤの比は少なくとも７である、請求項２２に記載のシステム。
【請求項２６】
前記展張状態において、前記動作デバイスの前記細長い筐体は、直径寸法ｄを有し、アンカーは、直径寸法Ｄを有し、ｄに対するＤの比は少なくとも８．８である、請求項２２に記載のシステム。
【請求項２７】
前記アンカーは第１の部分と、該第１の部分から延びる２つの第２の部分とを含む、請求項１７に記載のシステム。
【請求項２８】
前記第１の部分は、前記アンカーが前記展張状態にあるときループされる、請求項２７に記載のシステム。
【請求項２９】
前記第２の部分は、前記展張状態にあるとき、互いにほぼ反対の方向に延びる、請求項２７に記載のシステム。
【請求項３０】
心室組織に接触するように動作デバイスを心臓の左心室に前進させるシステムであって、
左心室内に、かつ弁尖と心室壁との交差部において、または該交差部の近くで少なくともある長さの心室組織に沿って、前進するように構成されているガイド要素と、
該ガイド要素上で、かつ該心室組織の少なくとも一部分に沿って可撓性のガイドシースを通過させる手段と、
該動作デバイスの遠位端が該心室内に全て存在するように、該ガイドシースを通って前進するように構成されている動作デバイスと、
該動作デバイスの長手方向軸に沿って該動作デバイスの該遠位端を心室壁の組織に対して押し付ける手段と、
複数のスライド可能に連結されたアンカーを、僧帽弁尖および心室壁の交差部に、または該僧帽弁および心室壁の交差部近くに送達する手段であって、該アンカーはテザーによって互いに直接連結され、該各アンカーの全体は該心室内で固定される、手段と
を備えている、システム。
【手続補正書】
【提出日】平成22年4月7日(2010.4.7)
【手続補正１】
【補正対象書類名】明細書
【補正対象項目名】０００５
【補正方法】変更
【補正の内容】
【０００５】
高温超伝導体（ＨＴＳ）線を用いる電力ケーブルが、設置面積を相対的に小さくしたままで公共電力回路網の電力容量を大きくするために開発されつつある。利点の中でもとりわけ、ＨＴＳ電力ケーブルは、密集した古い市街地の地域においても設置が簡単である。また、そのようなＨＴＳケーブルによって、より大量の電力が、公共電力回路網の密集した領域に経済的に高い信頼度で供給され、また、輻輳を緩和する必要がある場所に正確に移送される。ＨＴＳ電力ケーブルは、ケーブルの芯に銅の代わりにＨＴＳ線を用いて電気の送電及び配電を行う。ＨＴＳケーブルをこのように設計すると、従来の回線やケーブルと比較して、インピーダンスが大幅に低下する。ＨＴＳ線を用いると、従来の交流（ＡＣ）ケーブルと比較して、電流搬送能力を３乃至５倍大きくすることができ、また、従来の直流（ＤＣ）ケーブルを介して流れる電力は、最大１０倍に増加できる。
【特許文献】
【特許文献１】米国特許第４３７５６５９号明細書
【特許文献２】米国特許第６４５３２４８号明細書
【特許文献３】米国特許出願公開第２００２／０１０５２３１号明細書
【特許文献４】米国特許出願公開第２００６／０１２５４２１号明細書
【特許文献５】米国特許第７１３５９８８号明細書
【特許文献６】米国特許第５９４３２０４号明細書
【特許文献７】米国特許第４３７０６０９号明細書
【特許文献８】米国特許出願公開第２００３／０１８３４１０号明細書
【手続補正書】
【提出日】平成22年7月13日(2010.7.13)
【手続補正１】
【補正対象書類名】明細書
【補正対象項目名】００９０
【補正方法】変更
【補正の内容】
【００９０】
本明細書で使用される「中央粒径」という用語は、容量中央粒径のことを言う。